(57)【要約】【課題】  画像読取部に原稿搬送部を設置する際の斜行調整及び直角調整が不要で、かつ原稿搬送手段のズレを補正することのできる画像読取装置を提供する。【解決手段】  画像読取部２００に原稿を搬送すると共に、画像読取部２００に対して開閉可能に設けられた原稿搬送部１００に原稿を画像読取部に搬送する原稿搬送手段１０３を設け、この原稿搬送手段１０３を、画像読取部２００に設けられた光源２０４との成す角度が可変となるよう支持する。そして、原稿搬送部１００が閉じられた際、画像読取部２００に設けられた位置規制部材３００により、原稿搬送手段１０３の位置決めを行う。【選択図】      図２
2006173802.tif 000002
【特許請求の範囲】
【請求項１】
原稿に光を照射して原稿画像を読み取る画像読取部と、前記画像読取部に原稿を搬送すると共に、該画像読取部に対して開閉可能に設けられた原稿搬送部と、を備えた画像読取装置において、
前記画像読取部に設けられ、原稿搬送方向と直交する方向に延びた前記原稿に照射する光の光源と、
前記原稿搬送部に設けられ、前記原稿を前記画像読取部に搬送すると共に、前記光源との成す角度が可変となるよう支持された原稿搬送手段と、
前記画像読取部に設けられ、前記原稿搬送部が閉じられた際、前記原稿搬送手段の位置決めを行う位置規制部材と、
を備え、
前記原稿搬送部が閉じられた際、前記原稿搬送手段と前記光源との成す角度が調整されるように前記位置規制部材によって前記原稿搬送手段が位置決めされることを特徴とする画像読取装置。
【請求項２】
前記位置規制部材を介して前記原稿搬送手段の前記光源との成す角度を調整可能とするように前記位置規制部材が移動可能に前記画像読取部に設けられていることを特徴とする請求項１に記載の画像読取装置。
【請求項３】
前記原稿搬送手段はローラ対により構成され、前記位置規制部材は、前記原稿搬送部が閉じられた際、前記ローラ対の軸の位置決めを行うことを特徴とする請求項１または２記載の画像読取装置。
【請求項４】
前記原稿搬送部に前記ローラ対の軸を支持する支持部材を設け、前記支持部材は、前記ローラ対を、軸の径方向に移動可能に支持することを特徴とする請求項３記載の画像読取装置。
【請求項５】
前記ローラ対は、前記原稿にループを形成しながら前記原稿の斜行を補正する斜行補正手段を兼ねることを特徴とする請求項３又は４記載の画像読取装置。
【請求項６】
前記原稿搬送手段は無端状のベルト部材であり、前記位置規制部材は、前記無端状のベルト部材が張架されるローラ部材の軸の位置決めを行うことを特徴とする請求項１又は２記載の画像読取装置。
【請求項７】
前記原稿搬送部に前記ローラ部材の軸を支持する支持部材を設け、前記支持部材は、前記ローラ部材を、軸の径方向に移動可能に支持することを特徴とする請求項６記載の画像読取装置。
【請求項８】
前記画像読取部に、前記原稿搬送部が閉じられた際、前記ローラ部材と前記ベルト部材を介して圧接すると共に前記光源との成す角度が可変となるように支持された他のローラ部材を設けたことを特徴とする請求項７記載の画像読取装置。
【請求項９】
前記ベルト部材と前記他のローラ部材とは、前記原稿にループを形成しながら前記原稿の斜行を補正する斜行補正手段を兼ねることを特徴とする請求項６乃至８のいずれか１項に記載の画像読取装置。
【発明の詳細な説明】
【技術分野】
【０００１】
本発明は、画像読取装置に関し、特に画像読取部に原稿を搬送する原稿搬送手段の位置決めを行うための構成に関する。
【背景技術】
【０００２】
従来、複写機、スキャナ、ファクシミリ等の画像読取装置においては、画像読取部と、画像読取部に原稿を搬送する原稿搬送部を備えたものがあり、さらに画像読取部に対して原稿搬送部が開閉可能となったものがある。
【０００３】
そして、このような画像読取装置において、原稿台ガラス上に載置された原稿の画像を読み取る、所謂固定読みの際には、画像読取部に設けられた画像読取手段を副走査方向に移動しながら原稿の画像を読み取るようにしている。また、原稿搬送部により原稿台ガラス上を搬送される原稿の画像を読み取る、所謂流し読みの際には、画像読取手段を所定の読取位置に移動した後、この所定の読取位置にて原稿の画像を読み取るようにしている。
【０００４】
なお、このような画像読取装置においては、原稿載置台に載置された複数の原稿（シート）を分離部で１枚ずつ分離して、所定の画像読取部まで搬送して読み取り、更には原稿の表裏を反転させ排紙する等の機能を備えた自動原稿搬送装置（以下、ＡＤＦという）を備えている。
【０００５】
図９は、このような従来の画像読取装置の一例を示すものであり、この画像読取装置は、ユーザーにより画像読取装置本体１の上面に設けられた原稿台ガラス２０２にセットされた原稿を画像読取部を構成するリーダー部２００に設けられている光源２０４、第１ミラー２０６等を備えた画像読取手段である読取用走行体２０１を矢印方向に移動させて読み取る第１の読取モード（固定読みモード）と、読取用走行体２０１を所定位置に停止させてＡＤＦ１００にセットされた原稿を、原稿ガラス上を搬送させながら読み取る第２の読取モード（流し読みモード）とを有している。
【０００６】
ここで、原稿搬送部を構成するＡＤＦ１００を使用する第２の読取モードにおいては、レジストローラ対１１０１（１１０１ａ，１１０１ｂ）に原稿先端を突き当ててループを作ってレジ取りをした後、原稿をリードローラ対１１０３（１１０３ａ，１１０３ｂ）によって読取位置１０２に搬送することにより、原稿画像を読み取るようにしている。
【０００７】
ところで、第２の読取モードにおいて、このように原稿画像を読み取る際、画像読取精度はレジストローラ対１１０１及びリードローラ対１１０３の位置精度により決定される。
【０００８】
即ち、レジストローラ対１１０１のニップ部の軸線が、読取用走行体２０１の移動方向と直交する幅方向に延びたリーダー部２００（の光源２０４）の光軸に対して傾いている場合には、原稿の斜行補正が良好に行われない。そして、このように原稿の斜行補正が良好に行われない場合には、画像読取が正確に行われないことから、読取情報に基づいてシートに形成される画像は図１０の（ａ）に示すように傾斜したものとなる。以下、このような不具合を斜行不良という。
【０００９】
また、リードローラ対１１０３の軸線が光軸に対して傾いている場合には、読取位置１０２に原稿を光軸に対して直角に搬送することができない。そして、このような場合には、画像読取が正確に行われないことから、読取情報に基づいてシートに形成される画像は図１０の（ｂ）に示すように幅方向に傾斜したものとなる。以下、このような不具合を直角性不良という。
【００１０】
ここで、このような不具合、例えば斜行不良が発生した場合には、斜行調整として、駆動側のレジストローラ１１０１ａに当接する従動側のレジストローラ１１０１ｂの位置を調整し、リーダー部２００の光軸に対してレジストローラ対１１０１のニップ部の軸線を合わせるようにする。
【００１１】
また、直角性不良が発生した場合には、直角調整として、リーダー部２００とＡＤＦ１００を紙面奥側で回動可能に一体支持する不図示のヒンジ部の位置を調整することにより、リーダー部２００に対するＡＤＦ１００の位置を調整し、光軸に対してリードローラ対１１０３のニップ部の軸線を合わせるようにする。
【００１２】
一方、図１１は、従来の画像読取装置の他の例を示すものであり、この画像読取装置は、ユーザーにより画像読取装置本体２の上面に設けられた原稿台ガラス７０２にセットされた原稿をリーダー部７００に設けられている光源７０４、第１ミラー７０６等を備えた読取用走行体７０１を矢印方向に移動させて読み取る第１の読取モードと、読取用走行体７０１を所定位置に停止させてＡＤＦ６００にセットされた原稿を、原稿ガラス上を搬送させながら読み取る第２の読取モードとを有している。
【００１３】
ここで、ＡＤＦ１００を使用する第２の読取モードにおいては、レジストローラ対１６０１（１６０１ａ，１６０１ｂ）に原稿先端を突き当ててループを作ってレジ取りをした後、原稿を搬送ベルト６０３によって読取位置６０２に搬送することにより、原稿画像を読み取るようにしている。
【００１４】
ところで、このように原稿画像を読み取る際、画像読取精度は、主としてレジストローラ対１６０１及び搬送ベルト６０３を従動ローラ１６０５と共に張架している張架ローラ１６０４の位置精度により決定される。
【００１５】
即ち、レジストローラ対１６０１のニップ部の軸線が、読取用走行体７０１の移動方向と直交する幅方向に延びたリーダー部７００（の光源７０４）の光軸に対して傾いている場合には、原稿の斜行補正が良好に行われず、斜行不良が発生する。また、搬送ベルト６０３の張架ローラ１６０４の軸線が光軸に対して傾いている場合には、読取位置６０２に原稿を光軸に対して直角に搬送することができず、直角性不良が発生する。
【００１６】
そこで、例えば斜行不良が発生した場合には、斜行調整として、駆動側のレジストローラ１６０１ａに当接する従動側のレジストローラ１６０１ｂの位置を調整し、リーダー部７００の光軸に対してレジストローラ対６０１のニップ部の軸線を合わせるようにする。また、直角性不良が発生した場合には、直角調整として、リーダー部７００とＡＤＦ６００を紙面奥側で回動可能に一体支持する不図示のヒンジ部の位置を調整することにより、リーダー部７００に対するＡＤＦ６００の位置を調整し、光軸に対して張架ローラ１６０４の軸線を合わせるようにする。
【００１７】
ところで、このような斜行調整及び直角調整は独立して行うと、多くの時間を要し調整工程が増加する。そこで、例えばＡＤＦ１００，６００の給紙部、搬送部、排紙部を一つのユニットとして形成し、リーダー部２００、７００のプラテンガラスの上面にユニットに形成された突起部を当接させることによってこのユニットのリーダー部２００，７００に対する上下方向の位置決めを行って、リーダー部２００，７００とＡＤＦ１００，６００を合体させた際の調整工程を低減するようにしたものがある（特許文献１参照。）。
【００１８】
【特許文献１】特開平１０−１４２８５１号公報
【発明の開示】
【発明が解決しようとする課題】
【００１９】
しかしながら、このような従来の画像読取装置において、リーダー部２００，７００に対してＡＤＦ１００，６００を設置する際には、工数が低減したもののやはり、斜行調整及び直角調整が必要となる。
【００２０】
また、給紙部、搬送部、排紙部を備えたユニットを位置決め部である突起部を介してリーダー部に対して上下方向の位置決めする場合では、各種原稿搬送部を位置決め部に対してアライメント調整を行う必要がある。各種原稿搬送部をユニットの位置決め部に対してアライメント調整を行っても、例えば装置を使用することによりＡＤＦ１００，６００のフレームが変形した場合には、各種原稿搬送部のアライメントはユニットの位置決め部に対してズレが生じ、そのズレを補正する手段がない。よってＡＤＦによって搬送される原稿はリーダー部の光軸に対して傾いてしまう。
【００２１】
そこで、本発明は、このような現状に鑑みてなされたものであり、リーダー部（画像読取部）にＡＤＦ（原稿搬送部）を設置する際の斜行調整及び直角調整が不要で、かつ原稿搬送手段のズレを補正することのできる画像読取装置を提供することを目的とするものである。
【課題を解決するための手段】
【００２２】
本発明は、原稿に光を照射して原稿画像を読み取る画像読取部と、前記画像読取部に原稿を搬送すると共に、該画像読取部に対して開閉可能に設けられた原稿搬送部とを備えた画像読取装置において、前記画像読取部に設けられ、原稿搬送方向と直交する方向に延びた前記原稿に照射する光の光源と、前記原稿搬送部に設けられ、前記原稿を前記画像読取部に搬送すると共に、前記光源との成す角度が可変となるよう支持された原稿搬送手段と、前記画像読取部に設けられ、前記原稿搬送部が閉じられた際、前記原稿搬送手段の位置決めを行う位置規制部材と、を備え、前記原稿搬送部が閉じられた際、前記原稿搬送手段と前記光源との成す角度が調整されるように前記位置規制部材によって前記原稿搬送手段が位置決めされることを特徴とするものである。
【発明の効果】
【００２３】
本発明のように、画像読取部に対して開閉可能に設けられた原稿搬送部に、原稿を画像読取部に搬送する原稿搬送手段を光源との成す角度が可変となるよう設けると共に、原稿搬送部が閉じられた際、画像読取部に設けられた位置規制部材により、原稿搬送手段の位置決めを行うことにより、画像読取部に対して原稿搬送部を設置する際の斜行調整及び直角調整が不要となる。また、原稿搬送手段のズレを補正することができる。
【発明を実施するための最良の形態】
【００２４】
以下、本発明を実施するための最良の形態について図面を用いて詳細に説明する。
【００２５】
図１は、本発明の第１の実施の形態に係る画像読取装置の構成を示す図である。なお、図１において、図９と同一符号は、同一又は相当部分を示している。
【００２６】
図１に示すように、ＡＤＦ１００は上部に原稿載置台としての給紙トレイ１１１を有し、この給紙トレイ１１１上の原稿は、ＡＤＦ１００にセットされた原稿を原稿ガラス上を搬送させながら読み取る第２の読取モードの場合には、まず給送手段としての給紙ローラ１１２により順次その最上位の原稿から繰り出され、分離手段を構成する分離搬送ローラ１１３及び分離パッド１１４により一枚ずつに分離される。
【００２７】
次に、このように分離された原稿は、搬送ローラ対１１７，１０１により搬送された後、その先端を原稿搬送手段の一例であるローラ対であるリードローラ対１０３（１０３ａ，１０３ｂ）のニップ部に突き当ててループを作ることで斜行取りが行われる。さらに、この後、このリードローラ対１０３により、読取位置１０２へ搬送され、読取位置１０２の下方の所定位置に停止している読取用走行体２０１の上方を通過する。
【００２８】
ここで、原稿に光を照射して原稿画像を読み取る画像読取部を構成するリーダー部２００は、読み取り対象の原稿に光を照射することにより、原稿に記録された画像情報を光学的に読み取り、光電変換して画像データとして入力するものであり、反射笠２０５、光源２０４、第１ミラー２０６等を有する読取用走行体２０１、原稿ガラス２０２，２０３、走査ミラー２０７，２０８を有するミラーユニット２０９、レンズユニット２１０、ＣＣＤセンサ２１１を有している。なお、光源２０４は、原稿搬送方向と直交する方向に延びており、以降、この光源２０４をリーダー部２００の光軸ということもある。
【００２９】
そして、このように構成されたリーダー部２００の読取用走行体２０１の上方を通過する際、原稿は、読取用走行体２０１の光源２０４により照明され、その反射光が走査ミラー２０７，２０８を介し、レンズユニット２１０を透過してＣＣＤセンサ２１１に結像されることで、電気信号へと変換される。
【００３０】
そして、このようにして画像が読み取られた後、原稿は下流リードローラ対１１８及び排紙ローラ対１１５により排紙トレイ１１６上に排紙される。なお、原稿の両面画像を読み込む場合には、まず表面（一面）が読取位置１０２にて読み取られ、後端がフラッパ１１９を抜けた後、排紙ローラ対１１５を逆転駆動することにより原稿を反転させ、再度レジストローラ対１０１へと搬送する。次に、原稿を再度読取位置１０２に搬送して裏面（二面）の画像を読み取り、この後、再度排紙ローラ対１１５により原稿を、向き合わせのために反転させ、更に読取位置１０２を通過させた後、排紙トレイ１１６上へと排紙する。
【００３１】
なお、図１に示すように、読取位置１０２には読取位置１０２での原稿搬送性を安定させるためのプラテンローラ１２０及びコロ１２１、１２２が設けられ、これらのプラテンローラ１２０及びコロ１２１、１２２は、それぞれ原稿ガラス２０３に対して所定のギャップを開けて配置されている。
【００３２】
次に、図２及び図３を用いてリードローラ対１０３を位置決めするための構成について説明する。
【００３３】
図２において、リードローラ対１０３を構成する上部リードローラ１０３ａは、この上部リードローラ１０３ａの軸である芯金１２５を、リーダー部２００に対して開閉可能に設けられた原稿搬送部を構成するＡＤＦ１００の本体（以下、ＡＤＦ本体という）１００Ａに設けられた支持部材である環状の受け部１２３に挿通することにより、ＡＤＦ本体１００Ａに回転自在に支持される。
【００３４】
ここで、この受け部１２３の内径は、芯金１２５の外径に対して大きく設定されており、これにより上部リードローラ１０３ａは、芯金１２５及び受け部１２３を介してＡＤＦ本体１００Ａに芯金１２５の径方向に移動自在に保持されるようになっている。なお、芯金１２５には不図示の付勢手段により、鉛直下方向に付勢力Ｔ１が与えられており、これにより通常、上部リードローラ１０３ａ（の芯金１２５）は、受け部１２３の最下面に押圧された状態となっている。
【００３５】
一方、上部リードローラ１０３ａと共にリードローラ対１０３を構成する下部リードローラ１０３ｂは、ＡＤＦ本体１００Ａに設けられた支持部材である環状の受け部１２４に軸である芯金１２６を挿通することにより、ＡＤＦ本体１００Ａに回転自在に支持される。ここで、この受け部１２４の内径は芯金１２６の外径に対して大きく設定されており、これにより下部リードローラ１０３ｂは、芯金１２６及び受け部１２４を介してＡＤＦ本体１００Ａに芯金１２６の径方向に移動自在に保持されるようになっている。
【００３６】
なお、芯金１２６には不図示の付勢手段により、上部リードローラ１０３ａの方向に付勢力Ｔ２が与えられており、これにより通常、下部リードローラ１０３ｂは、上部リードローラ１０３ａに圧接する状態となっている。そして、これら上部リードローラ１０３ａ及び下部リードローラ１０３ｂの芯金１２５，１２６及び受け部１２３，１２４は紙面手前、奥とに同様に構成されている。
【００３７】
ここで、既述したように上部リードローラ１０３ａ及び下部リードローラ１０３ｂは、ＡＤＦ本体１００Ａに対して芯金１２５，１２６に対する受け部１２３，１２４の径方向のガタ分、径方向に移動可能となっている。
【００３８】
また、上部リードローラ１０３ａの芯金１２５に加えられる付勢力Ｔ１は、下部リードローラ１０３ｂの芯金１２４に加えられる付勢力Ｔ２よりも大きくなるように設定されており、これにより図２に示すリーダー部２００に対してＡＤＦ１００を開いた状態の時には、上部リードローラ１０３ａの芯金１２５が受け部１２３の下部に位置し、下部リードローラ１０３ｂは上部リードローラ１０３ａに当接するようになっている。
【００３９】
また、図２において、３００はリーダー部２００の上面に設けられた位置規制部材である位置決め部材であり、この位置決め部材３００は紙面前側、奥側に対向して設けられている。
【００４０】
ここで、この位置決め部材３００には、ＡＤＦ１００を閉じた時、上部リードローラ１０３ａの芯金１２５を受ける受け部３０１と、芯金１２５の横方向の移動を規制する規制部３０２，３０３とを有する第１位置決め部３００Ａと、下部リードローラ１０３ｂの芯金１２６を受ける受け部３０４と、下部リードローラ１０３ｂの、上部リードローラ１０３ａに当接する方向への移動を妨げることのない位置に設けられた壁面３０５，３０６とを有する第２位置決め部３００Ｂを有している。
【００４１】
そして、このような構成の位置決め部材３００を備えることにより、図３に示すようにリーダー部２００に対してＡＤＦ１００を閉じた場合、上部リードローラ１０３ａ及び下部リードローラ１０３ｂの位置は以下のように決まる。
【００４２】
即ち、上部リードローラ１０３ａは、芯金１２５が付勢力Ｔ１により鉛直下方向に押圧されて受け面３０１に押し付けられると共に、横方向の移動を規制部３０２，３０３に規制されることにより位置決めされる。特開平１０−１４２８５１号に開示されているようなＡＤＦの搬送ユニットに形成された突起部を原稿ガラスの上面に突き当てることによってリーダー部に対して搬送ユニットを位置決めする構成では、リーダー部と搬送ユニットとの上下方向の位置が決められるが、搬送される原稿のリーダー部に対する斜行や直角性不良を防ぐための位置決めはされない。
【００４３】
一方、本実施の形態では、芯金１２５の横方向（原稿ガラス２０３の上面と略平行な面内であって芯金１２５の軸と垂直な方向）の移動が規制部３０２、３０３によって規制されるために、光源２０４の光軸と上部リードローラ１０３ａとの軸線とが平行となる。したがって、直角性不良が防止される。
【００４４】
また、第１位置決め部３００Ａと同構成の第２位置決め部３００Ｂによって下部リードローラ１０３ｂも位置決めされる。したがって光源２０４の光軸とリードローラ対１０３のニップ線とが平行になるために、搬送される原稿の光源２０４に対する傾き（斜行）が防止される。また、下部リードローラ１０３ｂは芯金１２６が付勢力Ｔ２により受け面３０４に当接し、且つ上部リードローラ１０３ａに当接することにより位置決めされる。
【００４５】
なお、このとき、既述したように付勢力Ｔ２に対して付勢力Ｔ１は大きい設定となっているため、下部リードローラ１０３ｂにより上部リードローラ１０３ａが押されても上部リードローラ１０３ａは移動しない。
【００４６】
ところで、本実施の形態において、位置決め部材３００はリーダー部２００の光軸に対して位置決めされると共に、リーダー部２００に対してその位置は調整可能となっており、リーダー部内部の光学調整により決定される光軸に対してその位置は調整可能となっている。
【００４７】
ここで、このように原稿読取位置１０２での原稿の搬送を司るリードローラ対１０３の位置をリーダー部２００の光軸に対して位置決めされた位置決め部材３００によって決めるように構成した場合には、ＡＤＦ１００をリーダー部２００に対して設置する際に特に調整工程を設けないようにしても、例えば既述した図１０の（ｂ）に示すような画像不良の発生に応じて随時位置決め部材３００の位置を調整することにより、リードローラ対１０３のリーダー部２００の光軸からのズレによる直角性不良の発生を防ぐことができる。
【００４８】
更に、本実施の形態のように、リードローラ対１０３のニップ部に原稿の先端を突き当ててループを作ることによって原稿のレジ取りを行うことによりリードローラ対１０３が斜行補正手段を兼ねる場合であっても、ＡＤＦ１００をリーダー部２００に対して設置する際に特に調整工程を設けないようにしても、例えば既述した図１０の（ａ）に示すような画像不良の発生に応じて位置決め部材３００の位置を随時調整することにより、リーダー部２００の光軸からのズレによる斜行不良の発生を防ぐことができる。
【００４９】
又、ＡＤＦ１００の開閉耐久等によりＡＤＦ本体１００Ａの図示しないフレームが変形してＡＤＦ本体内でのリードローラ対１０３の上部リードローラ１０３ａ及び下部リードローラ１０３ｂの位置が移動しても、ＡＤＦ１００をリーダー部２００に対して閉じた時には、上部リードローラ１０３ａ及び下部リードローラ１０３ｂは、ＡＤＦ１００に対してではなくリーダー部２００の位置決め部材３００に対して位置が決まるため、直角性不良、斜行不良が生じることはない。
【００５０】
このように、リーダー部２００に対して開閉可能に設けられたＡＤＦ１００にリードローラ対１０３を光源（光軸）との成す角度が可変となるよう支持すると共に、ＡＤＦ１００が閉じられた際、リーダー部２００に設けられた位置決め部材３００により、リードローラ対１０３の位置決めを行うと共に、この位置決め部材３００を光源との成す角度が可変となるよう移動可能とし、この位置決め部材３００を介してリードローラ対１０３の光源との成す角度を調整可能とすることにより、リードローラ対１０３の位置はＡＤＦ１００に対してではなくリーダー部２００の位置決め部材３００に対して決まるようになる。これにより、リーダー部２００に対してＡＤＦ１００を設置する際の斜行調整及び直角調整が不要となる。また、ＡＤＦ１００のズレを補正することができる。
【００５１】
次に、本発明の第２の実施の形態について説明する。
【００５２】
図４は、本実施の形態に係る画像読取装置の構成を示す図である。なお、図４において、図１１と同一符号は、同一又は相当部分を示している。
【００５３】
図４に示すように、ＡＤＦ６００は上部に原稿載置台としての給紙トレイ６１１を有し、この給紙トレイ６１１上の原稿は、ＡＤＦ６００にセットされた原稿を、原稿ガラス上を搬送させながら読み取る第２の読取モードの場合には、まず給送手段としての給紙ローラ６１２により順次その最上位の原稿から繰り出され、分離手段を構成する分離搬送ローラ６１３及び分離パッド６１４により一枚ずつに分離される。
【００５４】
次に、このように分離された原稿は、その先端を搬送ローラ対６０１のニップ部に突き当ててループを作ることで斜行取りが行われ、さらにこの後、従動ローラ６０５と駆動ローラ６０４により張架される、原稿搬送手段としての無端状のベルト部材である搬送ベルト６０３により読取位置６０２へ搬送され、読取位置６０２の下方の所定位置に停止している読取用走行体７０１の上方を通過する。
【００５５】
ここで、リーダー部７００は、原稿等の読み取り対象の原稿に記録された画像情報を光学的に読み取り、光電変換して画像データとして入力するものであり、反射笠７０５、光源７０４、第１ミラー７０６等を有する読取用走行体７０１、プラテンガラス７０２、ミラー７０７，７０８を有するミラーユニット７０９、レンズユニット７１０、ＣＣＤ７１１を有している。
【００５６】
そして、このように構成されたリーダー部７００の読取用走行体７０１の上方を通過する際、原稿は、読取用走行体７０１の光源７０４により照明され、その反射光が走査ミラー７０７，７０８を介し、レンズユニット７１０を透過してＣＣＤセンサ７１１に結像されることで、電気信号へと変換される。そして、このようにして画像が読み取られた後、原稿は、搬送ベルト６０３により搬送され、その後、排紙反転搬送部６０６により排紙トレイ６１６上に排紙される。
【００５７】
なお、原稿の両面画像を読み込む場合には、表面（一面）が読取位置６０２にて読み取られた原稿を排紙反転部６０６により原稿の表裏を入れ替えた後、再度読取位置６０２へと搬送する。そして、画像読取後、排紙反転部６０６により排紙トレイ６１６上に排紙する。
【００５８】
次に図５及び図６を用いて搬送ベルト６０３が張架されるローラ部材である駆動ローラ６０４の位置決めを行う構成について説明する。
【００５９】
図５において、駆動ローラ６０４は、この駆動ローラ６０４の軸である芯金６２５を、ＡＤＦ本体６００Ａに設けられた環状の受け部６２３に挿通することにより、ＡＤＦ本体６００Ａに回転自在に保持される。ここで、この受け部６２３の内径は、芯金６２５の外径に対して大きく設定されており、これにより駆動ローラ６０４は、芯金６２５及び受け部６２３を介してＡＤＦ本体６００Ａに芯金６２５の径方向に移動自在に保持されるようになっている。
【００６０】
なお、芯金６２５には不図示の付勢手段により、鉛直下方向に付勢力Ｔ１が与えられており、これにより通常、駆動ローラ６０４（の芯金６２５）は、受け部６２３の最下面に押圧された状態となっている。また、駆動ローラ６０４の芯金６２５及び受け部６２３は紙面手前、奥とに同様に構成されている。
【００６１】
ここで、駆動ローラ６０４はＡＤＦ本体６００Ａに対して芯金６２５に対する受け部６２３の径方向のガタ分、径方向に移動可能な構成である。また、図５に示すリーダー部７００に対してＡＤＦ６００を開いた状態の時には芯金６２５が受け部６２３の最下面に位置する。
【００６２】
また、図５において、８００はリーダー部７００の上面に設けられた位置決め部材であり、この位置決め部材８００は、紙面前側、奥側に対向して設けられている。
【００６３】
ここで、この位置決め部材８００には、ＡＤＦ６００を閉じた時、駆動ローラ６０４の芯金６２５を受ける受け面８０１と、芯金６２５の横方向の移動を規制する規制部８０２、８０３とが設けられている。
【００６４】
そして、このような構成の位置決め部材８００を備えることにより、図６に示すようにリーダー部７００に対してＡＤＦ６００を閉じた場合、駆動ローラ６０４の位置は以下のように決まる。
【００６５】
即ち、駆動ローラ６０４は、芯金６２５が付勢力Ｔ１により鉛直方向に押圧されて受け面８０１に押し付けられると共に、横方向の移動を規制部８０２，８０３により規制されることにより位置決めされる。
【００６６】
ところで、本実施の形態において、この位置決め部材８００はリーダー部７００の光軸に対して位置決めされると共に、リーダー部７００に対してその位置は調整可能となっており、リーダー部内部の光学調整により決定される光軸に対してその位置は調整可能となっている。
【００６７】
ここで、このように原稿読取位置１０２での原稿の搬送を司る搬送ベルト６０３の軸線を決定する駆動ローラ６０４の位置をリーダー部７００の光軸に対して位置決めされた位置決め部材８００によって決めるように構成した場合には、ＡＤＦ６００をリーダー部７００に対して設置する際に特に調整工程を設けないようにしても、例えば既述した図１０の（ｂ）に示すような画像不良の発生に応じて位置決め部材８００の位置を調整することにより、搬送ベルト６０３のリーダー部７００の光軸からのズレ（直角性不良）による画像不良の発生を防ぐことができる。
【００６８】
又、ＡＤＦ６００をリーダー部７００に対して閉じた時には駆動ローラ６０４はＡＤＦ６００に対してではなくリーダー部７００の位置決め部材８００に対して位置が決まるため、ＡＤＦ６００の開閉耐久等によりＡＤＦ本体６００Ａの図示しないフレームが変形し、これに伴ってＡＤＦ本体内で駆動ローラ６０４が若干移動しても、位置決め部材８００の位置を調整することにより、搬送ベルト６０３のリーダー部７００の光軸からのズレ（直角性不良）による画像不良の発生を防ぐことができる。
【００６９】
次に、本発明の第３の実施の形態について説明する。
【００７０】
図７は、本実施の形態に係る画像読取装置の構成を示す図である。なお、図７において、図４と同一符号は、同一又は相当部分を示している。
【００７１】
図７に示すように、リーダー部７００には搬送ベルト６０３を介して駆動ローラ６０４に当接する他のローラ部材であるベルト突き当てローラ８０４が設けられている。また、リーダー部７００には、リーダー部７００に対してＡＤＦ６００を閉じた際、既述した第２の実施の形態に係る駆動ローラ６０４の芯金６２５を受ける受け面８０１と、芯金６２５の横方向の移動を規制する規制部８０２、８０３の他、ベルト突き当てローラ８０４の軸である芯金８０５を受ける長穴受け部８０６と有する位置決め部材８００が設けられている。なお、この位置決め部材８００は、紙面前後に対向して設けられている。
【００７２】
そして、このベルト突き当てローラ８０４の芯金８０５は、紙面前後に設けられた同一形状の位置決め部材８００に設けられた長穴受け部８０６により、芯金８０５の径方向に移動可能に支持され、付勢力Ｔ２により駆動ローラ６０４の方向、具体的には長穴上方向に付勢されている。
【００７３】
ここで、この付勢力Ｔ２に対して駆動ローラ６０４の芯金６２５に対する付勢力Ｔ１は大きい設定となっており、これにより、図７に示すリーダー部７００に対してＡＤＦ６００を開いた状態の時には、駆動ローラ６０４の芯金６２５が受け部６２３の下部に位置し、ベルト突き当てローラ８０４の芯金８０５は長穴受け部８０６の上部に位置した状態で駆動ローラ６０４とベルト突き当てローラ８０４が搬送ベルト６０３を介して当接（圧接）する。
【００７４】
そして、このような構成の位置決め部材８００を備えることにより、図８に示すリーダー部７００に対してＡＤＦ６００を閉じた状態での駆動ローラ６０４とベルト突き当てローラ８０４の位置は以下のように決まる。
【００７５】
即ち、駆動ローラ６０４は芯金６２５が付勢力Ｔ１により鉛直方向に押圧されて受け面８０１に押し付けられると共に、横方向の移動を規制部８０２，８０３により規制されることにより位置決めされる。また、ベルト突き当てローラ８０４は、芯金８０５が付勢力Ｔ２により丸長穴受け部８０６に沿って移動し、搬送ベルト６０３を介して駆動ローラ６０４に当接することにより位置決めされる。
【００７６】
なお、このとき既述したように、駆動ローラ６０４の芯金６２５を付勢する付勢力Ｔ１は、ベルト突き当てローラ８０４の芯金８０５を付勢する付勢力Ｔ２に対して大きい設定となっているため、ベルト突き当てローラ８０４により駆動ローラ６０４が押されても駆動ローラ６０４は移動しない。
【００７７】
ところで、本実施の形態においては、このように搬送ベルト６０３を介してベルト突き当てローラ８０４を駆動ローラ６０４に当接させると共に、読取位置６０２に進入する前、原稿の先端を駆動ローラ６０４とベルト突き当てローラ８０４とのニップ部に突き当ててループを形成することにより、斜行取り及び先端レジ取りを行うようにしている。なお、このように構成した場合、駆動ローラ６０４の上流に位置する搬送ローラ対６０１は、既述した第２の実施の形態と異なり、通常の搬送ローラとして機能するよう構成される。
【００７８】
また、本実施の形態において、位置決め部材８００はリーダー部７００に対してその位置は調整可能であり、リーダー部内部の光学調整により決定される光軸に対してその位置は調整可能となっている。
【００７９】
このため、本実施の形態のように駆動ローラ６０４とベルト突き当てローラ８０４とが斜行補正手段を兼ねる場合であっても、ＡＤＦ６００をリーダー部７００に対して設置する際に特に調整工程を設けないようにしても、例えば、既述した図１０の（ａ）に示すような画像不良の発生に応じて位置決め部材８００の位置を調整することにより、リーダー部２００の光軸からのズレによる斜行不良の発生を防ぐことができる。
【図面の簡単な説明】
【００８０】
【図１】本発明の第１の実施の形態に係る画像読取装置の構成を示す図。
【図２】上記画像読取装置のＡＤＦに設けられたリードローラを位置決めするための構成を説明する第１の図。
【図３】上記画像読取装置のＡＤＦに設けられたリードローラを位置決めするための構成を説明する第２の図。
【図４】本発明の第２の実施の形態に係る画像読取装置の構成を示す図。
【図５】上記画像読取装置のＡＤＦに設けられた搬送ベルトが張架される駆動ローラを位置決めするための構成を説明する第１の図。
【図６】上記画像読取装置のＡＤＦに設けられた搬送ベルトが張架される駆動ローラを位置決めするための構成を説明する第２の図。
【図７】本発明の第３の実施の形態に係る画像読取装置の要部を示す図。
【図８】上記画像読取装置のＡＤＦに設けられた搬送ベルトが張架される駆動ローラと、駆動ローラに当接するベルト突き当てローラを位置決めするための構成を説明する第１の図。
【図９】従来の画像読取装置の一例の構成を示す図。
【図１０】従来の画像読取装置における不具合を説明するための図。
【図１１】従来の画像読取装置の他の例の構成を示す図。
【符号の説明】
【００８１】
１００      ＡＤＦ
１００Ａ    ＡＤＦ本体
１０２      読取位置
１０３      リードローラ対
１０３ａ    上部リードローラ
１０３ｂ    下部リードローラ
１２３      受け部
１２４      受け部
１２５      上部リードローラの芯金
１２６      下部リードローラの芯金
２００      リーダー部
２０４      光源
３００      位置決め部材
６００      ＡＤＦ
６００Ａ    ＡＤＦ本体
６０２      読取位置
６０３      搬送ベルト
６０４      駆動ローラ
６２３      受け部
６２５      駆動ローラの芯金
７００      リーダー部
７０４      光源
８００      位置決め部材
８０４      ベルト突き当てローラ
８０５      ベルト突き当てローラの芯金
【図１】
2006173802.tif 000003
【図２】
2006173802.tif 000004
【図３】
2006173802.tif 000005
【図４】
2006173802.tif 000006
【図５】
2006173802.tif 000007
【図６】
2006173802.tif 000008
【図７】
2006173802.tif 000009
【図８】
2006173802.tif 000010
【図９】
2006173802.tif 000011
【図１０】
2006173802.tif 000012
【図１１】
2006173802.tif 000013